Podtech/llm-jp-corpus-v4-ja_patent huggingface dataset:
(57)【要約】【課題】  水上スポーツ、水上作業、漁業及び陸上ではオートバイ、林草作業、重機械作業等に於て、耐カット性、耐刺傷性、耐熱に優れたアラミド繊維を主体とする防水加工した保護服を提供する。【解決手段】  アラミド系繊維の表面に、ゴムやビニール等の防水材料を接着又はコーティングを施し、防水と直射日光を遮へいする保護層を設けた素材より構成される。【選択図】  図１
2005023504.tif 000002
【特許請求の範囲】
【請求項１】
アラミド系繊維層を含む生地に、ゴムやビニール等の防水材料を接着あるいはコーティングを施すことにより防水と直射日光を遮へいする保護層を設けた素材よりなる防水保護服。
【発明の詳細な説明】
【発明の詳細な説明】
【発明に属する技術分野】
【０００１】  この発明は、水上スポーツ、水上作業、漁業及び陸上ではオートバイ、林草作業、重機械作業等に於て、耐カット性、耐刺傷性、耐熱に優れたアラミド繊維を主体とする防水加工した保護服を着用する事により、鋭利な危険物での作業事故から身体を保護すると共に風雨からも身体を保護し、併せて健康の維持管理をするものである。
【背景技術】
【０００２】  従来、水上や屋外で作業する際、鋭利な危険物から身体を保護するには、アラミド系繊維の保護服の着用が望ましいが、寒期の風雨時には，防水及び保温効果が悪い為、別途に防寒防水着を重ね着する必要がある。
公営競技の競艇選手はレース中、転覆や落水事故等でプロペラやモーターボートで重大な人身事故が発生する事があるので、選手はレース参加に際し、アラミド繊維の長ズボンの着用を義務付けられている。
【発明が解決しようとする課題】
【０００３】  アラミド繊維は防水性、保温性及び吸湿性が悪く、又長時間、太陽の直射日光を受けると、優れた強度が劣化する。
更に肌感触や吸湿性が悪い為、直接肌に触れる着衣としては不向きである。
又、厚いアラミド繊維の基布からなる保護服を着用して、更にその上に防水着を重ね着すると、俊敏な動きに支障を来たし危険な面がある。
【課題を解決するための手段】
【０００４】  そこで、アラミド系保護服の表面に太陽の直射日光の遮へいと防水を兼ねて、ゴムやビニール等の材料を用いてコーティング加工を施す。
保護服の表面にナイロン性生地等を縫合し、同様に防水加工すれば、更に直射日光の遮へい効果も高まり保護服の補強にもなる。
保護服の柔軟性を出す為、必要強度に応じ、薄いアラミド繊維を積層して保護服を作成すれば柔軟性は向上し、裏地に綿性布を使用すれば肌感触や吸湿性も向上する。
又、積層間にビニール等の防水材料を挟めば、より防水効果は高まる。
【発明を実施するための最良の形態】
【０００５】  以下、本発明の実施の形態について、図を用いて説明する。
図１は、本発明の断面図である。
本発明は、衣服、特には作業衣、競艇選手の保護服等に利用できるものである。
全体を構成する生地について、以下説明する。
裂傷に対する耐久性にあるアラミド系繊維１ａ、１ｂがあり、これらが防水性のあるビニール等の防水生地３を挟み込むようになっている。
表面側のアラミド系繊維１ａの表面には太陽の直射日光を防ぐ素材よりなる保護層２ａが表面前面に設けられている。
また、裏面側アラミド系繊維１ｂの裏面には保護層２ｂが設けられており、更にその裏面全体に綿性布等の裏地４が設けられている。この裏地４は、防寒性があるものが好ましい。
この素材を利用して防護服を作る。この際、端部は断面が露出しないように折り曲げたり、あて生地を利用して防水加工する。
尚、表面の保護層と裏面の裏地以外は、これに限定されるものではなく、例えば、アラミド系繊維と防水材の層を各々一層としたり、更に多層にすることも可能である。
多層化の加工方法としては、縫合、接着、溶着等の従来利用されている技術にて実施する。
【発明の効果】
【０００６】  本発明の保護服地であるアラミド系繊維は鋭利な金属等による裂傷事故から身体を保護する強度は大変優れているが、太陽の直射日光に照射されるとその優れた強度が劣化する弱点がある。
しかし、本発明により太陽の直射日光を遮る為の保護層を設ける事により、アラミド系繊維の特徴である耐カット性、耐刺傷性等の強度の耐久性が増すと共に大変経済的でもある。
その他、保護服の表面にナイロン性布地を縫合せ、その表面に防水加工を施したり、又保護服の表面に直接ゴムやビニール等の防水材料を用いてコーティング加工を施して太陽の直射日光を遮る保護層を設けても劣化防止に役立つものである。
本保護服に用いるアラミド系繊維の弱点である防水、防寒、肌感触及び吸湿性等を補う事が出来るので、危険な作業現場に於ても動作が緩慢にならず、健康維持管理にも役立つ。
又俊敏な動きを求められるスポーツ競技、特に競艇選手の着用には大変効果的と思われる。
【図面の簡単な説明】
【図１】  本発明の断面図である。
【符号の説明】
１；１ａ；１ｂ    アラミド系繊維
２；２ａ；２ｂ    保護層
３                防水生地
４                裏地
【図１】
2005023504.tif 000003
(57)【要約】【課題】  ＣＩ値の低下等、振動特性や電気特性の劣化を引き起こし、信頼性を維持できなくなる要因を持つ、水晶片に金属屑の付着した水晶振動子の流出を防止する。【解決手段】  外周に金属製のフランジを有し、一対のリード線を、絶縁部材を介して気密かつ絶縁したベースと、金属製キャップを抵抗溶接により接合し気密性を保持する水晶振動子の封止製造方法において、前記ベースと金属製キャップの抵抗溶接を行なう際に水晶振動子の周波数を監視し、水晶振動子の周波数の変化量により水晶振動子の良否判定する水晶振動子の封止製造方法とする。【選択図】  図１
2005229338.tif 000002
【特許請求の範囲】
【請求項１】
外周に金属製のフランジを有し、一対のリード線を、絶縁部材を介して気密かつ絶縁したベースと、金属製キャップを抵抗溶接により接合し気密性を保持する水晶振動子の封止製造方法において、前記ベースと金属製キャップの抵抗溶接を行なう際に水晶振動子の周波数を監視し、水晶振動子の周波数の変化量により水晶振動子の良否判定することを特徴とした水晶振動子の封止製造方法。
【発明の詳細な説明】
【技術分野】
【０００１】
本発明は水晶振動子の封止製造方法に関するものである。
【背景技術】
【０００２】
水晶振動子は、共振特性に優れており時間及び周波数の基準源として広く用いられ小型化とともに振動特性の変化が少なく電気的特性の安定した製品が要求されている。水晶振動子の封止形態の一つに抵抗溶接によるものがある。抵抗溶接による封止は、抵抗溶接時に発生する金属屑が飛散し、水晶片に付着し振動特性を劣化させることから、金属容器等に改良が求められている。
【０００３】
図２、図３は封止に抵抗溶接を用いた水晶振動子の断面図である。従来の技術を図２、図３とともに説明する。従来の水晶振動子は図２に示すように一対のリード線３を、絶縁部材（不図示）を介して気密かつ絶縁したベース２と、このベース２上に突出したリード線３に溶接される支持体４と、この支持体４に搭載され導電性接着材６で接合される水晶片５と金属製キャップ１からなり、金属製キャップ１のフランジとベース２のフランジを抵抗溶接機により押圧するとともに通電させ両者を接合する。図３はベースのフランジ外周に金属製の突起２ｂを形成し、抵抗溶接を行なう水晶振動子を示す。抵抗溶接では一般的に前記のように接合部分に突起２ｂを設け、この部分に抵抗溶接時の電流および圧力を集中させることで、溶接を容易にしていた。
【０００４】
抵抗溶接による封止では、溶接時に圧力が加わることもあり金属屑７が飛散することがあった。前記のように抵抗溶接は金属製キャップ１とベース２のフランジを溶接するため、金属製キャップ１とベース２の側面が密接しないように、金属製キャップ１の内周はベース２の外周より大きく設定される。したがって金属製キャップ１とベース２の間には隙間がある状態であり、この隙間から前記の金属屑７が金属容器内に侵入して、水晶片５に付着する。
【０００５】
前記のように、水晶片５に金属屑７が付着した水晶振動子は周波数の変化やＣＩ値の低下等、振動特性や電気特性の劣化を引き起こし、信頼性を維持できなくなることがあった。このような不具合は水晶振動子が小型化されることで顕在化し、電気的性能や信頼性の低下の要因とされていた。このような不具合を回避する手段として、ベース２のフランジ領域を除く上面に、金属製キャップの開口とほぼ同じ外形形状のフレキシブル絶縁シートを設置することでベース２と金属製キャップ１間にできる隙間の上部を塞ぐ構造が開示されている（例えば、特許文献１参照）。
【特許文献１】特開平１１−１６８３４９号公報
【発明の開示】
【発明が解決しようとする課題】
【０００６】
ＣＩ値の低下等、振動特性や電気特性の劣化を引き起こし、信頼性を維持できなくなる要因を持つ、水晶片に金属屑の付着した水晶振動子を判別できない点である。
【０００７】
また、水晶片に金属屑を付着させないためにベースと金属製キャップ間にできる隙間の上部を塞ぐ構造では、フレキシブル絶縁シート等の隙間の上部を塞ぐ部材が必要であり、部品点数の増加、工数の増加となっていた。
【課題を解決するための手段】
【０００８】
上記課題を解決するために、本発明は外周に金属製のフランジを有し、一対のリード線を、絶縁部材を介して気密かつ絶縁したベースと、金属製キャップを抵抗溶接により接合し気密性を保持する水晶振動子の封止製造方法において、前記ベースと金属製キャップの抵抗溶接を行なう際に水晶振動子の周波数を監視し、水晶振動子の周波数の変化量により水晶振動子の良否判定をする水晶振動子の封止製造方法とする。
【発明の効果】
【０００９】
本発明の封止製造方法は、抵抗溶接時に水晶振動子の周波数を監視し、水晶振動子の周波数の変化量により金属屑が水晶片に付着した水晶振動子を検出する事が可能となる。
【００１０】
金属容器の改良や新たに部材を追加することなく、水晶片に金属屑が付着していない信頼性のある水晶振動子を提供できる。
【発明を実施するための最良の形態】
【００１１】
封止時に水晶片に金属屑等の異物付着により周波数が変化したことを検出し、後工程に不良を流出しない様にすることを、部品変更や部材追加をせずに実現した。
【実施例１】
【００１２】
図１は本発明の実施例を説明するための模式図である。一対のリード線３を絶縁部材を介して気密かつ絶縁したベース２のフランジと金属製キャップ１のフランジを抵抗溶接電極８により押圧するとともに通電させ両者を接合する。
【００１３】
本発明の水晶振動子の封止製造方法では、抵抗溶接時に周波数カウンター９等の外部計測器により水晶振動子の周波数を監視し、金属屑７等が水晶片５に付着して周波数が変化した水晶振動子を検出する。
【図面の簡単な説明】
【００１４】
【図１】本発明の実施例を説明するための模式図
【図２】封止に抵抗溶接を用いた水晶振動子の断面図
【図３】封止に抵抗溶接を用いた水晶振動子の断面図
【符号の説明】
【００１５】
１    金属製キャップ
２    ベース
２ａ  外周部に突起を有するベース
２ｂ  突起
３    リード線
４    支持体
５    水晶片
６    導電性接着剤
７    金属屑
８    抵抗溶接電極
９    周波数カウンター
【図１】
2005229338.tif 000003
【図２】
2005229338.tif 000004
【図３】
2005229338.tif 000005
(57)【要約】【課題】電子番組表において番組を予約する場合、既に予約した番組と時間帯が重複しているかどうかが直感的に分かりづらい。【解決手段】電子番組表において、リモコンの十字キーよりカーソルを移動して番組を選択する番組移動手段と、リモコンの決定キーによりカーソルで選択した番組を視聴または録画予約する画面を表示する番組決定手段と、番組決定手段で表示された画面から番組を視聴または録画予約する番組予約手段と、電子番組表に表示されている番組のうち番組予約手段で予約された番組と重複する時間帯である番組に色付けする重複番組表示手段とを備える。これにより、番組の重複予約を未然に防ぐことができる。【選択図】図４
2005229248.tif 000002
【特許請求の範囲】
【請求項１】
電子番組表において、リモコンの十字キーよりカーソルを移動して番組を選択する番組移動手段と、リモコンの決定キーにより前記カーソルで選択した番組を視聴または録画予約する画面を表示する番組決定手段と、前記番組決定手段で表示された画面から番組を視聴または録画予約する番組予約手段と、電子番組表に表示されている番組のうち前記番組予約手段で予約された番組と重複する時間帯である番組に色付けする重複番組表示手段とを備えた番組表表示装置。
【発明の詳細な説明】
【技術分野】
【０００１】
本発明は、番組情報が付加された映像信号を受信する映像受信機などの番組受信表示装置に関するものである。
【背景技術】
【０００２】
従来の番組表表示装置として、電子番組表において現在表示している時間帯に既に予約されている番組があればそれを電子番組表の上部に表示することでユーザに事前に重複して予約しないように促すものがある（例えば特許文献１参照）。
【特許文献１】特開平１１−１９６３４３号公報
【発明の開示】
【発明が解決しようとする課題】
【０００３】
しかしながら、従来の番組表表示装置ではたとえば電子番組表の上部に表示されている既に予約されている番組の終了時間と電子番組表の下部に表示されている番組の開始時間が近接している場合、直感的に重複しているかどうかを認識することができない。また、既に予約されている番組を表示するために１チャンネル分の表示領域を占有するため電子番組表の番組表示数が少なくなる。
【課題を解決するための手段】
【０００４】
前記課題を解決するために、本発明の番組表表示装置では、既に予約されている番組の時間帯と重複する他の番組に対してその番組表示欄を色付けすることにより直感的に番組が重複していることを認識することができる。
【発明の効果】
【０００５】
本発明によれば、予約番組の時間帯と重複する番組に色付けされるため番組予約の重複を未然に回避することができ無駄な録画予約操作をなくすという効果がある。
【発明を実施するための最良の形態】
【０００６】
（実施の形態１）
以下に、本発明の請求項１に記載された発明の実施形態について、図１〜図５を用いて説明する。
【０００７】
図１において、１００は番組を表示する番組表表示画面である。１０１は番組の時間帯を示す時間帯表示欄である。１０２は番組チャンネルを示すチャンネル表示欄である。１０３は個々の番組を表示する番組セルである。１０４は番組セル１０３を選択するカーソルである。１０５はカーソル１０４で選択された選択番組セルである。１０６は番組表表示画面１００を操作するリモコンである。１０７は番組表表示画面１００を表示ＯＮ／ＯＦＦする番組キーである。１０８はカーソル１０４を上下左右に動かす十字キーである。１０９は選択番組セル１０５の予約画面を表示する選択決定キーである。
【０００８】
かかる構成によれば、番組キー１０７により番組表表示画面１００が表示される。この場合、カーソル１０４は現在視聴している番組を選択番組セル１０５として選択する。つぎに、十字キー１０８の右と上を押すことにより図２に示す選択番組セル１０５へ移動する。そして選択決定キー１０９を押し図３に示す番組予約画面が表示される。さらに十字キー１０８の下を６回押すと、図４に示すように番組表表示画面１００はチャンネル方向にスクロールし、予約された番組セル１０３の表示は消えるが、その番組と重複する時間帯の番組セルには引き続き色付けされる。このように本実施例１では予約した番組セル１０３の時間帯と重複する番組セル１０３に対して色付けするため、ユーザは直感的に重複している番組セル１０３を識別することができる。
【０００９】
なお、実施例１において録画予約された番組セル１０３に“予”のマークや色付けされるとしたが、録画予約または視聴予約されたことが認識できればどのような表現でもよい。また、重複する番組セル１０３は色付けされるとしたが、文字反転や点滅など重複していることが分かればどのような表現でもよい。
【産業上の利用可能性】
【００１０】
本発明に係る番組表表示装置は、予約番組の時間帯と重複する番組に色付けされるため番組予約の重複を未然に回避することができ無駄な録画予約操作をなくすという効果を有し、番組情報が付加された映像信号を受信する映像受信機などの番組受信表示装置として有用である。
【図面の簡単な説明】
【００１１】
【図１】本発明の実施の形態１における画面表示構成図とリモコンボタン配置図
【図２】本発明の実施の形態１におけるカーソル移動結果の画面表示構成図
【図３】本発明の実施の形態１における予約画面表示構成図
【図４】本発明の実施の形態１における予約実行後の画面表示構成図とリモコンボタン配置図
【図５】本発明の実施の形態１における予約実行後にカーソルを移動した画面表示構成図
【符号の説明】
【００１２】
１００    番組表表示画面
１０１    時間帯表示欄
１０２    チャンネル表示欄
１０３    番組セル
１０４    カーソル
１０５    選択番組セル
１０６    リモコン
１０７    番組キー
１０８    十字キー
１０９    選択決定キー
【図１】
2005229248.tif 000003
【図２】
2005229248.tif 000004
【図３】
2005229248.tif 000005
【図４】
2005229248.tif 000006
【図５】
2005229248.tif 000007
(57)【要約】【課題】データ放送のデータを受信するごとにデータ受信状態をユーザに報知する場合、受信不安定な環境ではデータ再受信のためにユーザへの報知が頻発しユーザに不快感を与えてしまう。【解決手段】データ放送のデータを受信するデータ受信手段と、データ受信状態を報知する報知手段と、受信状態を検出する受信状態検出手段を備え、受信状態検出手段が受信状態の変化を検出したことによりデータ受信手段がデータを再受信する場合には報知手段を機能させないことによりユーザに不快感を与えない頻度で報知を行うことが可能となる。【選択図】図１
2005229249.tif 000002
【特許請求の範囲】
【請求項１】
データ放送のデータを受信するデータ受信手段と、データ受信状態を報知する報知手段と、受信状態を検出する受信状態検出手段を備え、前記受信状態検出手段が受信状態の変化を検出したことにより前記データ受信手段がデータを再受信する場合には前記報知手段を機能させないことを特徴とするデータ放送受信機。
【発明の詳細な説明】
【技術分野】
【０００１】
本発明は、データ放送受信機においてデータの受信開始と完了をユーザに報知する際の報知方法に関するものである。
【背景技術】
【０００２】
従来のＢＳデジタル放送受信機では、図２に示すようにデータ放送のデータの受信開始時にはデータ受信報知メッセージをテレビ映像に重畳して表示し、データ受信が完了するとこのメッセージを消去することによってデータの受信開始と完了を報知していた。また、ユーザ操作によりデータの受信を行う際に、データ受信開始とデータ受信完了とを音声によって報知する装置がある（例えば、特許文献１参照）。
【特許文献１】特開平１０−２１５９６１号公報
【発明の開示】
【発明が解決しようとする課題】
【０００３】
従来は、データの受信を開始するごとにユーザに報知していた。受信状態が不安定になると信号同期はずれなどが発生しデータを受信できない状態となるが、受信不可能な期間にデータが更新されている可能性があるため、受信可能となった場合には、データを再取得する必要がある。しかし、悪天候の場合や車戴受信機の場合には受信可否状態が頻繁に繰り返される可能性があるため、データの受信を開始するごとにユーザに報知していると、ユーザにとって非常に煩わしいという問題があった。
【０００４】
一方、特許文献１に示す従来技術のようにユーザ操作によるデータ受信が発生した場合にだけ報知する方法では、受信機が番組の切り替りなどで自動的にデータを受信して更新されたデータを受信しているという情報をユーザに伝えることができないという問題があった。
【０００５】
本発明は、ユーザ操作や番組切り替りなどによってデータ受信を行う場合にのみユーザにデータ受信の開始と終了を報知し、受信状態の悪化や復帰によるデータ再取得時には報知しないことが可能なデータ放送受信機を提供することを目的とする。
【課題を解決するための手段】
【０００６】
本発明のデータ放送受信機は、データ放送のデータを受信するデータ受信手段と、データ受信の開始および完了を報知する報知手段と、受信状態を検出する受信状態検出手段を備え、前記受信状態検出手段が受信状態の変化を検出したことにより前記データ受信手段がデータを再受信する場合には前記報知手段を機能させないことを特徴とする。
【発明の効果】
【０００７】
本発明により、ユーザ操作や番組切り替りなどによるデータ受信時にはユーザにデータ受信開始や完了などのデータ受信状態を報知し、悪天候などにより受信状態が変化したことによりデータ再受信する場合には報知しないようにすることによりユーザに不快感を与えない頻度で報知を行うことが可能となる。
【発明を実施するための最良の形態】
【０００８】
（実施の形態１）
図１は、本発明の実施の形態１に係るデータ放送受信機の構成を示すブロック図である。図１において１はデータ放送のデータを受信するデータ受信手段、２は「データ取得中」と表示開始することによりデータ受信開始を報知し「データ取得中」の表示を消去することによりデータ受信完了を報知する報知手段、３は受信状態を検出する受信状態検出手段、５は放送信号を入力する信号入力手段、７はユーザの選局操作により選局処理を行う選局手段、４は受信状態検出手段が受信不可状態から受信可状態に変化した場合にはデータ受信手段にデータ受信を実行させ、選局が発生した場合にはデータ受信手段にデータ受信を実行させるとともに報知手段にデータ受信開始報知を実行させ、データ受信の完了を検知すると報知手段にデータ受信完了報知を実行させる制御手段である。
【０００９】
次に、本発明のデータ放送受信機の処理について、図３に示すユーザによる選局が発生すると報知手段が「データ取得中」メッセージを表示する（ステップＳ１０２）。そして、データ受信手段がデータを受信する（ステップＳ１０３）。データの受信が完了すると、報知手段が「データ取得中」メッセージを消去する（ステップＳ１０５）。受信不可の状態から受信可の状態になった場合には、「データ取得中」メッセージは表示せず、データ受信のみを行う（ステップＳ１０７）。
【産業上の利用可能性】
【００１０】
本発明のデータ放送受信機は、ユーザに不快感を与えない頻度でデータ放送の受信状態を報知することができ、テレビやセットトップボックスや車載用テレビとして有用である。
【図面の簡単な説明】
【００１１】
【図１】本発明の実施の形態に係るデータ放送受信機の構成を示すブロック図
【図２】データ受信開始報知の一例を示す図
【図３】本発明の実施の形態に係るデータ放送受信機の処理手順を示すフローチャート
【符号の説明】
【００１２】
１    データ受信手段
２    報知手段
３    受信状態検出手段
【図１】
2005229249.tif 000003
【図２】
2005229249.tif 000004
【図３】
2005229249.tif 000005
(57)【要約】【課題】患者がナースコールを行う時には幾つかの状況があり、その状況を示唆する何かしらの兆候が患者に表れることがある。  例えば、急いでいる時にはナースコール子機の押し釦を性急な操作するなどの傾向がある。    本願発明は、これらの兆候を検知するとともに、検知結果を看護師に表示し、ナースコールの対応に係り、事前に準備を行い迅速な行動をとれるようにすることにある。  【解決手段】本願発明のナースコールシステムは上記の課題を実現するために、子機に速度センサを配し、患者がナースコールを行う時の状況を示唆する押釦の押し方を検出するとともに、検出したデータに基づき予め定められた幾つかの方法で発光、発音、振動の少なくとも一つで表示を行う表示装置１８とで患者の状況を看護師に知らせる。【選択図】図１
2005229269.tif 000002
【特許請求の範囲】
【請求項１】
ナースコールシステムにおいて、
押釦と前記押釦の近傍に配置され前記押釦の押される速さを検出するとともに速さに比例
した電圧の検出信号を発生させる速度センサとからなる子機と、
少なくとも発光、発音、振動の一つで表示を行うとともに前記検出信号の電圧値に応じ予
め定められた幾つかの表示シーケンスで表示する表示部
とからなること特徴とするナースコールシステム。
【発明の詳細な説明】
【技術分野】
【０００１】
本発明は病院等に設置されるナースコール装置のシステムに関する。
【背景技術】
【０００２】
病院ではナースセンターと病室との間において各種情報のやりとりをするために図１に
示すようなナースコールシステムが一般的に採用されている。
【０００３】
図２はナースセンターなどに設置される親機１であり、送受話器２，患者名ＬＥＤ３，
親機スピーカ４等が設けられている。
【０００４】
図３は患者が看護師との連絡に用いるナースコール子機の一例である。  
【０００５】
患者が押釦５を押すと、電流が変化でナースコール親機に呼出がある事を通知する。  
【０００６】
患者からの呼出通話の場合は次のようにして行われる。  患者が押釦を押すと、親機の患
者名ＬＥＤが点滅し、親機スピーカからチャイム（ピンポン）が鳴る。  看護師は親機の
送受話器を取って患者と通話をする。  看護師が患者との通話が終わり、送受話器を置く
と通話は切れる。
【特許文献１】特開２００１−５７９９６号公報。
【発明の開示】
【発明が解決しようとする課題】
【０００７】
ところで、患者がナースコールを行う時には幾つかの状況があり、その状況を示唆する何
かしらの兆候が患者に表れることがある。  例えば、イライラしているときにはナースコ
ール子機の押し釦を乱暴に操作する。  又は、直ぐに来てほしい時には性急な押し動作に
なる。
【０００８】
これらの兆候が呼出時に判れば、看護師はナースコールの対応に、事前に準備を行い迅速
な行動をとれる。  しかしながら従来のナースコール装置には出来なかった。  
【０００９】
本は発明はこれらを鑑み、患者がナースコールを行う時のナースコール子機の扱い方をセ
ンサで検出し、検出の結果を患者の状況として表示を行わせる。
【課題を解決するための手段】
【００１０】
本願発明のナースコールシステムは上記の課題を実現するために、子機に速度センサを組
み込み、患者がナースコールを行う時の状況を示唆する押釦の押し方を検出するとともに
、検出したデータに基づき予め定められた幾つかの方法で発光、発音、振動の少なくとも
一つで表示を行い、患者の状況を看護師に知らせる。
【発明の効果】
【００１１】
本発明のによれば、ナースコールを行う際の患者の状況が推測できるので、看護師はナー
スコール対応に、事前に準備を行い迅速な行動をとれるという優れた効果を奏し得る。
【発明を実施するための最良の形態】
【００１２】
本願発明の実施の一形態について、図面を参照して説明する。  
【００１３】
本願発明は図１に示すような従来のナースコールシステムに表示装置（図５）が付加され
る構造を有する。  表示装置は親機や副親機、廊下灯、携帯型親機（図示せず）に内蔵さ
れてもよい。
【００１４】
次に本願発明を使用した場合の動作を説明する。
【００１５】
患者が早急に看護師を呼びたい時、その兆候が押釦を押す性急な動作に現れる。  図４は
説明のために仮定した速度センサの特性を示すものである。  図４の特性から、このとき
に発生する電圧は最大時３Ｖの検出信号となる。
【００１６】
最大時３Ｖの検出信号は伝送路を介して表示装置に伝えられる。  図５に表示装置部の構
成を示す。  
【００１７】
表示装置に伝えられた検出信号は、ピークホールド手段を介して、解除されるまでピーク
値を維持出力する。
【００１８】
信号源はピークホールド手段で維持された電圧の信号を受け、その電圧値に対応する表示
信号を発生させる。  
【００１９】
信号源にはＶＦＯやＶＣＯ、電子ボリュームなどを用いて、
表示の種類が発音であるなら、音量の大小、又はピッチ（周波数）の高低で表示を行う。
また、表示の種類が発光であるなら、点滅の速さ、又は輝度の大小で表示を行う。
【００２０】
ナースコール発生時、看護師は表示を確認し表示から予測される状態を見極め対応する。
例えば、早い点滅の表示なら、
"押釦の操作が早い、急ぎの要件だな"
"押釦を押すのが早い、急にトイレに行きたくなったのかな"
など、ある程度看護師が予想しうるので、仕掛かり中の要件が済んでから対応するか、又
は仕掛かり中の要件を中断してでも至急対応するなどの行動ができる。  
【００２１】
ここで、送受話器を取り上げナースコールに応答すると、送受話器の懸架状態に連動して
ピークホールド手段の維持状態を解除する。  このとき表示は停止され待機状態戻る。
【図面の簡単な説明】
【００２２】
【図１】ナースコールシステム
【図２】親機
【図３】子機
【図４】加速度センサー特性図
【図５】表示装置
【符号の説明】
【００２３】
１・・・親機
２・・・送受話器
３・・・患者名ＬＥＤ
４・・・親機スピーカ
５・・・子機の押釦
１４・・・表示部
１５・・・信号源
１６・・・ピークホールド手段
１７・・・解除手段
１８・・・表示装置
【図１】
2005229269.tif 000003
【図２】
2005229269.tif 000004
【図３】
2005229269.tif 000005
【図４】
2005229269.tif 000006
【図５】
2005229269.tif 000007
(57)【要約】【課題】本発明を実施することにより、電源投入後の早期段階にて出力が高いレベルで安定し、希望の出力を得ることが可能となり、ＦＥＴパッケージにバリスタを直接実装しているため、ＦＥＴの温度変化（初期漂動）に対して正確かつ迅速な追従が可能であり、出力の安定化を図ることが可能となる。また、ＦＥＴ駆動による他の送信機やユニットにおいても活用することができる。【解決手段】本発明においては、ＦＥＴ駆動による電力増幅器において、バイアス電圧印加部とゲートバイアス電極の間にバリスタを直列に挿入したことことにより、課題を解決している。【選択図】図３
2005229172.tif 000002
【特許請求の範囲】
【請求項１】
ＦＥＴ駆動による電力増幅器において、バイアス電圧印加部とゲートバイアス電極の間にバリスタを直列に挿入したことを特徴とする電力増幅器。
【発明の詳細な説明】
【技術分野】
【０００１】
本発明はＦＥＴ増幅器に関し、特にＦＥＴの初期漂動（温度変化）に対して温度補償を行う回路を有した増幅器に関するものである。
【背景技術】
【０００２】
図１は固体化送信機の全体図である。送信機全体の流れは、入力された信号に対して制御、分配処理を行い、個々の電力増幅器（以下ＰＡという）によって増幅される。増幅された信号は合成され、制御系を通じ出力される。
【０００３】
図２にＰＡユニット部の概略図を示す。ＰＡ部に使用されているＦＥＴは、温度が上昇すると熱抵抗が変化し、ドレイン電流が流れない方向に動作する。そのため予め設定しておいたバイアス電圧に対し、出力が電源投入の初期段階より減少してしまう。従って、電源投入後から熱抵抗が安定するまで送信機出力は大きく変動してしまい、ＰＡ以外のユニットに対しても影響を及ぼす。
【０００４】
ＡＬＣ（Ａｕｔｏ  Ｌｅｖｅｌ  Ｃｏｎｔｒｏｌ：出力段のパワーを見て、入力のゲインを調整するユニット）にて初期漂動を追尾して改善することは可能だが、代わりに系の利得を大きくする必要があり、そのためＡＬＣ系が不安定になったり、出力ＯＮ時の過渡状態が生じる。これらの問題を解決するためには、ＰＡ部自体の初期漂動対策を行う必要があった。
【０００５】
また、特開平５−１７５７４７号公報には、マイクロ波帯の信号増幅用として使用される高出力ＦＥＴ増幅器に関し、特にその利得温度補償回路に関する技術が開示されている。
【特許文献１】特開平５−１７５７４７号公報
【発明の開示】
【発明が解決しようとする課題】
【０００６】
本発明の目的は、従来技術の問題点であったFET駆動型電力増幅器におけるＦＥＴの出力漂動に対して、シリコンバリスタをバイアス電圧印加部とゲートバイアス電極に挿入することにより解決し、ＦＥＴパッケージ上という小さい面積に実装可能なバリスタを採用することで、直接ＦＥＴの温度を検知して温度補償を行うことが可能なシリコンバリスタによる電力増幅器の出力漂動改善を提供することにある。
【課題を解決するための手段】
【０００７】
ＦＥＴ駆動による電力増幅器において、バイアス電圧印加部にバリスタを直列に挿入したことを特徴とする電力増幅器
【発明の効果】
【０００８】
本発明を実施することにより、電源投入後の早期段階にて出力が高いレベルで安定し、希望の出力を得ることが可能となる。ＦＥＴパッケージにバリスタを直接実装しているため、ＦＥＴの温度変化（初期漂動）に対して正確かつ迅速な追従が可能であり、出力の安定化を図ることができる。また、ＦＥＴ駆動による他の送信機やユニットにおいても適用が可能であり、実用性と汎用性に優れているという効果がある。
【発明を実施するための最良の形態】
【０００９】
本発明を実施することにより、従来技術の問題点である、電力増幅器自体の初期漂動（温度補償）を改善することができる。
【実施例１】
【００１０】
本発明のＦＥＴ増幅器における出力漂動改善は、シリコンバリスタ１を図３のようにバイアス電圧印加部２とゲートバイアス電極の間に挿入することにより、ＦＥＴの初期漂動を抑制し、安定した出力を得ることを可能としている。
【００１１】
バリスタは印加電圧によって抵抗値が変化する半導体であり、通常は大きな抵抗を持つが、一定値以上の電圧を加えると急激に抵抗値が減少する性質を持っている。また、バリスタを構成しているダイオードの順方向電圧特性は、一般的に電流一定の条件下において、常温より高温になると順電圧が減少し、低温になると増加する特性を持つ。これらの特性を利用し、ＦＥＴの温度補償を行う。
【００１２】
ＦＥＴの温度が上昇すると、順方向電圧特性によりバリスタの順電圧は減少する。次に、バリスタの性質より、電圧が減少すると抵抗は上昇する。従って、オームの法則Ｖ＝Ｉ×Ｒ（Ｖ：電圧、Ｉ：電流、Ｒ：抵抗）より、バイアス電圧印加部分に挿入されているバリスタの働きで、バイアス電圧は上昇する。バイアス電圧が上昇することにより、ＦＥＴのドレイン電流も上昇するので、熱抵抗による損失分のドレイン電流を補うことができる。
【００１３】
また、ＦＥＴの温度補償を正確に行うためには、ＦＥＴ自体の温度が測定可能で、電源投入時の初期段階において時間と共に大きく変化する漂動に追従できることが望ましい。これに関してはダイオードを用いて温度補償を行う方法があるが、その数は少なすぎると初期漂動に追従できなくなってしまい、多すぎると熱暴走を起こす可能性がある。ＦＥＴ自体の温度を常時測定するには、ＦＥＴのパッケージ上にダイオードを直接実装するのが最善であるが、小型化されたＦＥＴのパッケージ上に実装できるダイオードの数には限界があり、今回の初期漂動を改善するには十分な数とは言えないものであった。
【００１４】
そこで、小型かつ複数個のダイオードが実装可能なバリスタを採用し、初期漂動の影響を最小限に抑えることを可能にした。バリスタは図４に示すように、複数個のダイオードが直列に内部接続されており、ＦＥＴのパッケージ上に直接実装されている。これにより、前述した温度補償をより正確なものとしている。
【産業上の利用可能性】
【００１５】
本発明の活用例として、電源投入後の早期段階にて出力が高いレベルで安定し、希望の出力を得ることが可能となり、ＦＥＴパッケージにバリスタを直接実装しているため、ＦＥＴの温度変化（初期漂動）に対して正確かつ迅速な追従が可能であり、出力の安定化を図ることが可能となる。また、ＦＥＴ駆動による他の送信機やユニットにおいても活用することができる。
【図面の簡単な説明】
【００１６】
【図１】送信機概略図
【図２】従来のＰＡ（増幅器）回路構成図
【図３】本発明のＰＡ（増幅器）回路構成図
【図４】ＦＥＴ外形図
【符号の説明】
【００１７】
１      バリスタ
２      バイアス電圧印加部
３      入力整合回路
４      トランジスタ
５      出力整合回路
６      抵抗
７      コンデンサ
８      コンデンサ
【図１】
2005229172.tif 000003
【図２】
2005229172.tif 000004
【図３】
2005229172.tif 000005
【図４】
2005229172.tif 000006
(57)【要約】【課題】オス犬の本能であるマーキングは、今まで「しつけ」の対象とされており、トイレのしつけが上手くいかないオス犬は、特に見ず知らずの場所でオス犬のマーキング行為が頻繁になるため特に飼い主の精神的負担が多く、一緒の外出ができない傾向にあった。【解決手段】マーキング等、オス犬のおしっこにのみ対応すること。健康なペットにエチケット用として使用すること。専用のおむつを利用して、おむつカバーで固定すること。嫌がるペットにも着脱が容易なこと。デザイン性が高いこと。【選択図】図１
2005229915.tif 000002
【特許請求の範囲】
【請求項１】
主に健康なオス犬の本能であるマーキングによる汚染を阻止することを特徴とする、布製の、オス犬の陰部を腹巻のように覆い、専用の尿取用おむつを装着して使用する、デザイン性の高いエチケットのためのおむつカバー。
【請求項２】
請求項１の、尿の吸収部として利用することを特徴とする専用のおむつ。
【発明の詳細な説明】
【技術分野】
【０００１】
この発明は、健康なオス犬のマーキング（おしっこ）のみに対応するおむつおよびおむつカバーに関する。
【背景技術】
【０００２】
ペットの中でも特に犬については、オス犬が尿をあちこちにする「マーキング本能」や、感情が高ぶりつい尿をもらしてしまうクセをもつ犬がいる。
犬と一緒に出かける機会が増えた近年、ペットの排泄はしつけの対象とされているが、本能であるマーキングには１００％完璧ということはあり得ず、飼い主はオス犬のマーキング等を防ぐ為、常に注意を払ってなければならず、非常に気苦労を抱えている。よって、公共性が強い場所へは、マーキング等がひどい犬の場合、一緒に連れていけないことが多い。
従来のペット用おむつは、介護を主たる目的とするもの、糞・尿の両方を対象にしているものであり、下半身全体を覆うため、病的な感じをうけるものであった。また、暴れるペットに対する着脱は容易ではないということ、その上、値段も比較的高価であった。
そこで、このおむつは、オス犬のマーキング等のおしっこに焦点を絞り、エチケットの一環として、飼い主とペットが快適に生活および外出できるよう開発した。
【発明の開示】
【発明が解決しようとする課題】
【０００３】
解決しようとする問題点は、健康なオス犬のマーキング行為による汚染が日常的におこること、それによる飼い主の心理的負担が大きいこと。トイレのしつけが出来ていないペットの経験不足による社交性の欠如が見受けられること。
【課題を解決するための手段】
【０００４】
以上の課題を解決するために、第一発明は、ペット用の尿取り用おむつと併用し、容易に着脱が可能な、デザイン性の高いおむつカバーである。
また、第二発明は、ペット用の尿取り用おむつである。
【発明の効果】
【０００５】
尿取り専用のおむつを利用し、オムツカバーで固定することにより、コストが極端に軽減できる為、エチケットとして頻繁に利用可能。
腹巻のように巻きつけるだけのおむつカバーを利用し装着するため、嫌がるペットへの着脱が容易である。
また、現在はペットブームにより様々な施設でペット同伴の利用が可能になったが、マーキング等で迷惑をかけないことにより、飼い主の精神的負担を軽減するとともに、周囲の不快感や不安感を軽減する。オムツカバーにはデザイン性の高いものを使用するため、見た目におむつだという感じが無く、ペット同伴の外出の機会も増える。ペットに対しても外出などでたくさんの経験を積ませることにより、健全な精神の育成を促すことが可能である。
【発明を実施するための最良の形態】
【０００６】
この発明の一実施形態を、図１に示す。また、この発明に付随する実施形態を図２に示す。
図１  おむつカバー本体１は布製である。この本体１はオス犬の陰部を腹巻のように覆うかたちで巻きつける。
図１の２、オス犬の背部分で合わせる箇所はマジックテープ等の容易に装着可能なものとする。
図１の３の部分は、専用のおむつシートを装着させる部分である。おむつの粘着部分がはがれやすいよう、ナイロン加工されている。
図１の４の部分は、若干のふくらみを持たせる形状をしており、オス犬の腹部に位置する陰部に対し、窮屈な感じを与えることなく、密着させることができる。
図２は、図１のカバー専用の尿吸収用シートである。
【０００７】
「他の実施形態」
図１の実施形態では、本体は布製であるが、他の実施形態では、紙製の使い捨てでも良い。また尿取り専用のおむつを装着する部分は、おむつの粘着部がはがれやすいように加工されているが、他の実施形態ではそのような加工がされずに、吸収部一体型でも良い。
【図面の簡単な説明】
【０００８】
【図１】この発明の一実施形態を示す斜視図である。
【図２】従来技術を示す斜視図である。
【符号の説明】
【０００９】
１  おむつカバー本体 ２  着脱用合わせ部分
３  おむつ装着部分  ４  ゆとりを持たせたギャザー部分
５  おむつ粘着部分
【図１】
2005229915.tif 000003
【図２】
2005229915.tif 000004
(57)【要約】【課題】  犬や猫等の小動物を寄せつけたくない場所に、地面に設置して、上記小動物を寄せつけないようにする、小動物除け具を提供する。【解決手段】  犬や猫等の小動物の足は入るが、人の足は入らない大きさに内隔壁で区切られた箱本体と、該箱本体の内隔壁により構成された小室に、底板を立ち上げて構成された突起を設け、箱本体の四隅の下部に接続用の支軸と台座を設け、犬や猫等の小動物を寄せつけたくない場所に、地面に設置して、上記小動物を寄せつけないようにすることを特徴とする小動物除け具。【選択図】  図１
2005229993.tif 000002
【特許請求の範囲】
【請求項１】
犬や猫等の小動物の足が入る大きさに隔壁で区切られた小室からなる箱本体と、小室内に設けられた突起物からなる小動物除け具。
【請求項２】
突起物は、底部を切り起こして構成されたものである事を特徴とする請求項１の小動物除け具。
【請求項３】
箱本体は、接続部品を使用して、他の本体と接続が出来る事を特徴とする請求項１の小動物除け具。
【発明の詳細な説明】
【技術分野】
【０００１】  本発明は、地面に設置して、犬や猫等の小動物が侵入出来ないようにする為の、小動物除け具に関するものである。
【背景技術】
【０００２】  従来、地面に置いて使用する小動物除け具として、有刺鉄線や、板状あるいは格子状のベースに突起を複数設けたものがあった。
【発明の開示】
【発明が解決しようとする課題】
【０００３】  これは次のような問題点があった。
従来の小動物除け具は、人や車両が進入すると怪我をしてしまったり、靴や車両のタイヤを痛めたり、小動物除け具自体の機能が低下してしまったりするものだった。
本発明は、以上の問題点を解決しようとするものである。
【課題を解決するための手段】
【０００４】  上下を開口した箱本体（１）の内部を縦方向と横方向に並列して等間隔に設けた複数の内隔壁（２）で、犬や猫等の小動物の足が入る程度の大きさの、格子状に区切られた小室（３）を複数形成する。各小室内は、箱本体（１）を載置して底部とする底板（５）に、小室に適合するように切り起こした複数の突起（４）を設ける事により構成される。そして、箱本体（１）の四隅の下部に、方形の受け板（８）を設け、その方形の受け板（８）の中央部分に穴（９）を設け、底板（５）の四隅に、上記穴（９）と適合する位置に穴（１１）を設け、台座（７）から直立して設けられた支軸（６）を上記穴（９）と穴（１１）に貫通させ、ナット（１２）で留める。そして上記のように構成された、この小動物除け具を犬や猫等の小動物を寄せつけたくない場所に設置しておく。すると、人や車両は自由に進入出来るが、犬や猫等の小動物は、足が小室（３）に入り、突起（４）に足が当たってチクチクするので近寄れなくなる。
以上を特徴とする小動物除け具である。
【発明の効果】
【０００５】  本発明は、犬や猫等の小動物を寄せつけたくない場所に、上記小動物を寄せつけないようにする為のものである。
【発明を実施するための最良の形態】
【０００６】  以下、本発明の実施の形態を説明する。
（イ）上下を開口した箱本体（１）の内部を縦方向と横方向に並列して等間隔に設けた複数の内隔壁（２）で、犬や猫等の小動物の足が入る程度の大きさの、格子状に区切られた小室（３）を複数形成する。この時、図３のように、箱本体（１）の上部側に面する外周壁（１０）と内隔壁（２）高さは同じであるが、下部側に面する高さについては、図２のように内隔壁（２）の方が外周壁（１０）より、底板（５）の厚みの分だけ高い位置になっている。これは、重量の重い車両等が進入した場合に、その重量が底板（５）にかからないようにする為の措置である。
（ロ）箱本体（１）を載置して底部とする底板（５）に、各、小室（３）の内部に突出される状態になるように切り起こした複数の突起（４）を設ける。
（ハ）箱本体（１）の四隅の下部に、方形の受け板（８）を設け、そのそれぞれの方形の受け板（８）の中央部に、穴（９）を設ける。
（ニ）底板（５）の四隅に、上記穴（９）と適合する位置に、穴（１１）を設ける。
（ホ）台座（７）から直立して設けられた支軸（６）を穴（９）と穴（１１）に貫通させ、ナット（１２）で留める。
本発明は、以上の構成よりなっている。
本発明を使用するときは、図７のように、台座（７）に設けられた支軸（６）とナット（１２）で本体同士を多数接続し、犬や猫等の小動物を寄せつけたくない場所に設置する。そして、図８のように人の足や車両のタイヤは、隔壁の高さによって突起（４）から守られているが、犬や猫等の小動物の足は、隔壁によって構成された小室（３）の中に入り、突起（４）に当たってチクチクする為、逃げていく。
この結果、自動車、バイク、自転車等の車両、鉢植え、田畑等の財産を犬や猫等の小動物による悪戯、糞、尿害等から守る事が出来る。
また、図５のように箱本体（１）は台座（７）によって直接地面に接地していない為、プールの様に水が溜まる事がなく、水はけが良い。
また、自動車やバイク等の重量のある車両等が進入した場合でも、その重量は外周壁（１０）と内隔壁（２）と台座（７）にしか、かかっていない為、突起（４）と、突起（４）を設ける底板（５）の素材については、加工のしやすい軟質の素材を使用する事が出来る。
【図面の簡単な説明】
【０００７】
【図１】本発明の斜視図
【図２】本発明の箱本体の底面の斜視図
【図３】本発明の分解斜視図
【図４】本発明のＡ−Ａの切断時の分解正面図
【図５】本発明のＡ−Ａの切断時の正面図
【図６】本発明の平面図
【図７】本発明の使用状態を示す斜視図
【図８】本発明の使用状態を示す斜視図
【符号の説明】
【０００８】１  箱本体
２  内隔壁
３  小室
４  突起
５  底板
６  支軸
７  台座
８  受け板
９  穴
１０  外周壁
１１  穴
１２  ナット
【図１】
2005229993.tif 000003
【図２】
2005229993.tif 000004
【図３】
2005229993.tif 000005
【図４】
2005229993.tif 000006
【図５】
2005229993.tif 000007
【図６】
2005229993.tif 000008
【図７】
2005229993.tif 000009
【図８】
2005229993.tif 000010
(57)【要約】〔課題〕  芝草・牧草種子を収穫し、選抜処理をし乾燥保存するかていにおいて、種皮の表面に付着している、極微細なよごれや、蝋状物質が、種子の保存中の活性を悪化して、保存力を低下し、発芽成績を悪化している。  これを改良して、優良種子を提供する。〔解決手段〕  芝草・牧草種子の種皮の表面に付着している極微細なよごれや、蝋状物質を除き種子の活性を改善するために、多量の水あるいは、多量のうすい食塩水で、種皮の表面を良く洗い流して、きれいにした後、水を切って、良く乾燥して、処理生産種子とし、保存に供することを特徴とする。〔選択図〕【特許請求の範囲】
【請求項１】
芝草、牧草等の種子を通常の収穫法にもとずいて、念入りに収穫し、ていねいに選別、選定した後、種皮の外側を多量の水で、よく洗浄した後、水分をきってむしろ等の上にひろげて、良く乾燥して、播種まで保存する種子処理法。
【請求項２】
「多量の水で」を「多量のうすい食塩水で」とする請求項１．の種子処理法。
【請求項３】
「播種まで保存」を「播種まで２〜３年長期保存とする請求項１の種子処理法。
【請求項４】
本法（洗浄−乾燥処理）を２〜３回反複した後、よく乾燥し保存する請求項１．の種子処理法。
【請求項５】
播種直前に再び水湿を与えた後凍結して、バーナリゼイションを施す、請求項１．の種子処理法。
【発明の詳細な説明】
【技術分野】
【０００１】  本発明は、芝草、牧草種子の処理法に関するものである。
〔背景技術〕【０００２】  従来、種子生産は一般穀物生産に比較して、より優良な種子を、よりていねいに選別、選定して、乾燥を充分にして、大切に種子生産と保存をするのが普通であった。
〔発明の開示〕
〔発明が解決しようとする課題〕【０００３】  種子に供するものは、良い畑地で、手間をかけて栽培し、ていねいに収穫し、よく選抜して、良い種子のみとし、乾燥を良くし、保存も温度に気をつけて、ていねいに扱われることが要求されるが、さらに、種子の外囲の種皮をきれいにすると、より良い種子として発芽成績が向上し、生育も良好となる。
元来、種皮には、生育する過程で、外界から付着してくるほこりや、内部から浸み出してくる汗状物等が付着し、さらに蝋状物も付着していて、野生においては、種子の保存や、生命の保持に一定の役割をもっているが、農業関係においては、種子はていねいに取扱われ、保存されるので、このよごれは、種子の品質を悪化させている。
〔課題を解決するための手段〕【０００４】  この課題を解決するために、次の手段を発見した。
種子用に収穫した優良種子の種皮を多量の水あるいは多量のうすい食塩水でよく洗浄して、種皮の外囲のよごれや、蝋状物等をきれいに洗い流して、種子の活性を良好な状態にする。洗浄後、良く水をはらい、むしろ等の上にうすく広げて、良く乾燥して、処理種子とする。
〔発明の効果〕【０００５】  収穫種子を種皮の外側から、きれいに洗浄することによって、休眠種子の活性が改善され、保存期間において、呼吸が好調で、比較的活性高く休眠して、発芽において、発芽成績が高まる。
武村（２００３）は、水の物理・化学的様態変化から、生物の生理生態変化を推察する方法を提唱している。
一般に生物は休眠に入ると、外界から体内に栄養分をとり入れる同化作用は、いちヾるしく減少する反面、内的同化が増加して、体内貯蔵成分から脱水重合によって必要成分を同化して、不足分を補充し、同化の恒常性を保持している。
種子は、休眠状態であって、内的同化で、脱水重合が増加し、他方において、呼吸は、脱水素反応によって行われるから、これらの生理作用の傍らで相当量の活性が高く、脱水重合による脱水と、脱水素反応による活性水素が体内に生ずる。
脱水重合による活性脱水と、脱水素反応による活性水素は、休眠種子において相対的に増加してくる。
活性水が活性水素を吸着すると、表面張力が増加し、さらに吸着膜ができる。
吸着膜の内側で吸着された水素原子の側には、斥力が生じて、外囲にある多数の水素原子を排除して遠のける。
他方、吸着した水分子の側には、引力が生じて、外周から水分子を多数引よせて、水素吸着水の実在分子形をつくる。
2005229999.tif 000002
水素吸着水は、水分子の大きな集合体であって、体内につくられると、生物の半透膜を通過できないから、恒久的に体内に留まり、体大進化を導く。
ここで、外囲が乾燥して、水分子が乏しくなると、吸着によって生じた、水を引よせる吸着の引力は、吸着膜より内側に、求心的に働いて、核心を多エネルギーとし、さらに質量を増加する。
2005229999.tif 000003
これによって、優良処理種子をうまく乾燥保存すると、核心の胚等が、エネルギーで満たされ、充実して、発芽成績を高める。
さらに、吸着によって生じた引力は、レーザー引力であって、水のみを引きよせる単一引力性をもっている他に強力性、干渉性等を保有している。
この干渉性により、高分子、遺伝機構、進化機構、生理諸機構に広く関係をもち、干渉作用を保有して作用を及ぼしている。
種子処理に食塩が有効であることについては、種子内にできる水素吸着水Ｈ３Ｏ（Ｈ２Ｏ）ｎは、気象系においては、積乱雲に相当するが、結晶形は、雪の仮晶体Ｈ３Ｏ（Ｈ２Ｏ）６である。
他方、食塩水のＮａｃｌは、立方形結晶で、１分子が６方向の分子と接合している。
これらから、６方向に接合する共通点を保有していることから、食塩の作用で種子中に水素吸着水が、生成しやすくなる、補足的役目も持っていて、それだけ活性が高まり、発芽成績が向上する。
〔発明を実施するための最良の形態〕【０００６】  収穫した種子を布袋に入れて、これを外部から多量の水又はうすい食塩水で、よく洗浄した後、水をよくきってから、種子を袋から出して、むしろ等の上にうすくひろげて、充分良く乾燥して処理種子とする。この処理を２〜３回反複して効果を高めることもできる。保存し、播種前にバーナリゼイションを施すことも効果がある。
〔実験例１〕【０００７】  収穫種子を布袋に入れて、洗濯機を用いて、充分良く洗浄して、このまゝ脱水器で充分脱水して、むしろ等の上に広げて充分乾燥して処理種子とする。
この処理を２〜３回くり返して効果を高める。保存期間も１〜３年、保存して効果を熟成する。播種直前に、水湿を与え、低温凍結して、バーナリゼイションを施して処理効果を高めることもできる。